(57)【特許請求の範囲】
【請求項１】
手指の押圧によって前進し、かつ戻しバネの押圧力によって後退するノックを採用した筆記具であって、ノックの先端が当接しているシャープペンシルの芯収納メカユニット又はボールペンのレフィールホルダーに対し、外側周囲を囲んだ状態にて配置されている外側パイプ又は外側周囲を囲んでいない状態にて配置されている外側支柱を設け、当該外側パイプ又は外側支柱は、後端部以外の位置にて前記芯収納メカユニット又は前記レフィールホルダーと結合状態とする一方、曲げ弾性を有し、かつ後端の位置が軸筒内にて固定されているバーを設け、前記バーの中途部位に軸筒に設置した孔に対し突出及び嵌入が可能であるボタンを結合し、当該ボタンが、軸筒に設けた孔から突出した段階では、バーの先端がノックと共に前進状態にある前記外側パイプ又は前記外側支柱の後端と当接可能であり、かつ前記ボタンが手指の押圧によって軸筒内に嵌入した段階では、前記ボタンの前側面が、ノックと共に後退状態にある前記外側パイプ又は前記外側支柱の後端と当接可能である筆記具。
【請求項２】
バーの後端及びその近傍を軸筒の内壁に直接固着することを特徴とする請求項１記載の筆記具。
【請求項３】
バーの後端及びその近傍を円輪状パイプに固着するか、又はバーと円輪状パイプとを一体成形したうえで、当該円輪状パイプを軸筒内の内壁と固着していることを特徴とする請求項１記載の筆記具。
【請求項４】
バーの後端側に、当該バーと一体成形による円輪バネを設け、当該円輪バネを軸筒の内壁に固着していることを特徴とする請求項１記載の筆記具。
【請求項５】
請求項２、３、４の各固着として、軸筒の内壁から突設した変形可能な突設片によるかしめ状態を採用していることを特徴とする筆記具。
【請求項６】
請求項２、３、４の各固着として、軸筒の内壁との溶着状態を採用していることを特徴とする筆記具。
【発明の詳細な説明】
【技術分野】
【０００１】
本発明は、ノックの前進及び後退の幅であるストロークを選択可能とするシャープペンシル及びボールペン等の筆記具に関するものである。
【背景技術】
【０００２】
近年のノック式筆記具においては、シャープペンシルにおける芯収納メカユニット又はボールペンにおけるレフィールホルダーの後端とノックの先端との間に回転子が介在しており、ノックの先端における凹凸形状領域と、当該回転子の後端に設けられた斜方向溝とのカム機構に基づく係合関係によって、ノックの前進に対し、回転子の回転に伴う前進及び後退の双方の移動を実現することによって、筆記用の先端部（シャープペンシルの芯の先端部及びボールペンのレフィールの先端部）の突出及び収納を実現している。
【０００３】
しかしながら、このような回転子とのカム機構を介した結合に基づく従来技術の場合には、ノックの押圧作用によって筆記用の先端部の突出及び収納の双方が実現しているため、当該押圧を基準として、突出及び収納の双方を明確に峻別することが不可能とならざるを得ない。
その結果、使用者は、先端部が突出状態であるにも拘らず、収納状態と誤認混同し、かつ筆記具をポケット内に収納することによって、シャープペンシルの筆先を折るか、又はボールペンのインクによって衣服を汚すという弊害を少なからず発生させていた。
【０００４】
更には、上記回転子を介したノック方式の場合には、ノックが移動し得るストロークの範囲が、回転子の前記カム機構部と係合関係にあるノック筒における内側摺動溝の長さによって左右されるが、筆記具の種類によって、ストロークの領域長さは千差万別であって、当該ストロークに応じて、ノック筒及び回転子だけでなく、シャープペンシルにおける芯収納メカユニット及びボールペンにおけるレフィールホルダー等の各構成要素についても、個別の設計を行い、かつ当該設計に対応した金型を作成することを必要不可欠とする。
【０００５】
しかしながら、筆記具の種類に対応して、個別に金型を作成することは、作成費のコストアップとならざるを得ない。
【０００６】
然るに、ノック方式の筆記具の分野において、ストロークをどのようにして選択するかについて立ち入った考察を行った先行技術文献は見当たらない。
因みに、特許文献１は、ボールペンにおけるノック及びレフィールの移動範囲に関するストロークを記載しているが（段落［００４１］）、ストロークの範囲をどのように選択するかについては何ら開示していない。
【０００７】
特許文献２においては、ボールペンの前側におけるスプリング３４の受け部材、スプリング３４の後端側に配置されている尾栓との間のストロークについて説明するも（段落［００２７］）、ノック自体のストローク範囲について何ら開示していない。
ましてや、前記各特許文献においては、製造段階において、ノックのストロークの範囲を簡単に選択可能とするような基本的技術思想について全く開示及び示唆していない。
【先行技術文献】
【特許文献】
【０００８】
【特許文献１】特開２００５−１０４１１９号公報
【特許文献２】特開２００１−３１５４８５号公報
【発明の概要】
【発明が解決しようとする課題】
【０００９】
本発明は、筆記用の先端部の突出状態と収納状態との明瞭な峻別が可能であって、かつ製造段階において、ノックのストローク幅を簡単に選択可能とする筆記具の構成を提供することを課題としている。
【課題を解決するための手段】
【００１０】
前記課題を解決するため、本発明の基本構成は、手指の押圧によって前進し、かつ戻しバネの押圧力によって後退するノックを採用した筆記具であって、ノックの先端が当接しているシャープペンシルの芯収納メカユニット又はボールペンのレフィールホルダーに対し、外側周囲を囲んだ状態にて配置されている外側パイプ又は外側周囲を囲んでいない状態にて配置されている外側支柱を設け、当該外側パイプ又は外側支柱は、後端部以外の位置にて前記芯収納メカユニット又は前記レフィールホルダーと結合状態とする一方、曲げ弾性を有し、かつ後端の位置が軸筒内にて固定されているバーを設け、前記バーの中途部位に軸筒に設置した孔に対し突出及び嵌入が可能であるボタンを結合し、当該ボタンが、軸筒に設けた孔から突出した段階では、バーの先端がノックと共に前進状態にある前記外側パイプ又は前記外側支柱の後端と当接可能であり、かつ前記ボタンが手指の押圧によって軸筒内に嵌入した段階では、前記ボタンの前側面が、ノックと共に後退状態にある前記外側パイプ又は前記外側支柱の後端と当接可能である筆記具からなる。
【発明の効果】
【００１１】
前記基本構成に基づく本発明の場合には、使用者においては、手指によってノックを前進状態としている段階では、ボタンが押圧されていない状態にあるバーの先端と外側パイプ又は外側支柱との後端とを当接状態とすることによって、筆記用の先端部の突出状態を維持しており、ノックが弾性バネによって後退状態となっている段階では、ボタンが手指によって押圧されている状態にあるバーの先端が、上記当接状態から逸脱し、外側パイプ又は外側支柱の後端は、ボタンの前側面と当接することによって、先端部の収納状態と維持している。
【００１２】
このように、ノックの押圧状態及び先端部の突出状態とボタンの非押圧状態とが対応関係にあり、ノックの非押圧状態及び先端部の収納状態とボタンの押圧状態とが対応関係にあることから、先端部の突出状態と収納状態との峻別は容易であって、双方を誤認混同することは通常生じ得ない。
【００１３】
しかも、外側パイプ又は外側支柱の後端と当接し合う位置がバーの先端及びボタンの前側面であることから、ノックのストローク幅が必然的にバーの先端とボタンの前側面との距離によって左右され、製造段階では、ノックのストローク幅を、上記距離を基準として簡単に選択することができる。
【００１４】
その結果、筆記具における各構成要素につき、上記ストローク幅に左右されずに、同一の設計、更には当該設計に対応する同一金型の使用が可能となり、従来技術の場合のようなノックのストローク幅に応じて、個別の金型を作成することによるコストアップの状態を避けることが可能となる。
【００１５】
更には、従来技術の場合のような複雑なカム機構を備えた回転子を備える必要がなく、精々、バー及びボタンという単純な形態の構成要素を備えれば良いことに基づき、シンプルな設計を可能とし、かつ製造上のコストダウンを実現することができる。
【図面の簡単な説明】
【００１６】
【図１】実施例１の構成を示す側面図である。
【図２】実施例２の構成を示す側面図である。
【図３】シャープペンシルの基本構成を示す側断面図であって、（ａ）は、ノックの押圧による前進に対応して芯の先端部が突出しており、かつバーの先端と外側支柱の後端とが当接した状態を示しており、（ｂ）は、ノックの後退に対応して、芯の先端部が収納されており、外側支柱の後端と押圧されたボタンの前側面とが当接した状態を示す。
【図４】ボールペンの基本構成を示す断面図であって、（ａ）は、ノックの押圧による前進に対応して、レフィールの先端部が突出しており、かつバーの先端と外側パイプの後端とが当接した状態を示しており、（ｂ）は、ノックの後退に対応して、レフィールの先端部が収納されており、外側パイプの後端と押圧されたボタンの前側面とが当接した状態を示す。
【図５】外側パイプ及び外側支柱の長手方向と直交する方向の断面図であって、（ａ）は、外側パイプの場合を示し、（ｂ）は、外側支柱の場合を示す。
【発明を実施するための形態】
【００１７】
図３（ａ）、（ｂ）は、筆記具のうち、シャープペンシルの実施形態における基本構成を示しており、ノック１の先端は、チャック用バネ１０を介して前側のチャック９と結合している芯収納メカユニット２の後端と当接しており、双方は共に手指の押圧によって前進する一方、軸筒６の前側に設置されている戻しバネ８によって後退している。
【００１８】
芯収納メカユニット２の外側に外側パイプ又は外側支柱３を設置し、当該外側パイプ又は外側支柱３は、後端部以外の位置にて芯収納メカユニット２に結合しているが、図３（ａ）、（ｂ）は、芯収納メカユニット２の先端近傍に結合している場合を示す。
【００１９】
外側パイプ３は、芯収納メカユニット２の外側周囲を囲んだ状態にて設けられており、図５（ａ）のような断面を呈するのに対し、外側支柱３は、周囲を囲んでいない状態にて芯収納メカユニット２の所定方向の外側周囲に設けられており、図５（ｂ）のような断面を呈している。
尚、図３（ａ）、（ｂ）は、外側支柱３を採用している場合を示すが、図３（ａ）、（ｂ）に関する以下の説明においては、外側パイプ及び外側支柱３の双方に妥当することから、外側パイプ３をも含めて説明する。
【００２０】
上記結合に基づいて、外側パイプ又は外側支柱３は、ノック１及び芯収納メカユニット２と一体をなして前進及び後退を実現している。
【００２１】
バー４の後端は、軸筒６内にて固定されており、かつ長さの範囲は、先端が図３（ａ）に示すように、外側パイプ又は外側支柱３が前進する際、その後端に当接することを基準として設定されている。
【００２２】
バー４の中途部位は、軸筒６に設けた孔７に対し突出及び嵌入が可能なボタン５を結合しているが、図３（ａ）に示すように、ノック１に対する手指による押圧によって、芯収納メカユニット２及び外側パイプ又は外側支柱３が前進し、かつ先端部が突出する段階では、当該ボタン５は手指によって押圧されていないため、軸筒６の孔７から突出した状態にあり、その結果、バー４の先端と外側パイプ又は外側支柱３の後端とが当接することによって、上記突出による筆記可能状態を維持することができる。
【００２３】
これに対し、図３（ｂ）に示すように、ノック１、芯収納メカユニット２及び外側パイプ又は外側支柱３が戻しバネ８によって後退し、かつ芯が軸筒６内に収納されている段階では、当該ボタン５は手指によって押圧されており、バー４は、外側パイプ又は外側支柱３の上端面との当接状態から逸脱し、その結果、外側パイプ又は外側支柱３はノック１と共に前記弾性バネの押圧力によって後退し、当該後端面は、ボタン５の前側面と当接することによって、上記収納状態を維持することができる。
【００２４】
図４（ａ）、（ｂ）は、筆記具のうち、ボールペンの場合の実施形態における基本構成を示す。
【００２５】
ノック１の先端部が突出し、かつ戻しバネ８と結合しているレフィールホルダー２の外側の位置に外側パイプ又は外側支柱３を設置し、当該外側パイプ又は外側支柱３は、後端部以外の位置にてレフィールホルダー２に結合しているが、図４（ａ）、（ｂ）は、レフィールホルダー２の後端近傍に結合している場合を示す。
尚、図４（ａ）、（ｂ）は、レフィールホルダー２の外側周囲に外側パイプ３を設け、かつレフィールホルダー２に固着している状態を示すが、図４（ａ）、（ｂ）に関する説明においては、外側支柱３にも妥当することから、外側支柱３をも含めて説明する。
【００２６】
バー４が、中途部位にて軸筒６の孔７を介して突出及び嵌入が可能であるボタン５と結合したうえで、後端にて軸筒６内に固定されていること、及び外側パイプ又は外側支柱３とバー４の先端又はボタン５の前側面との当接関係及び当該当接状態と筆記用先端部の突出及び収納との対応関係は、何れも図４（ａ）、（ｂ）に示す通りであって、上記当接関係及び対応関係は、シャープペンシルに関する図３（ａ）、（ｂ）の説明内容と同一である。
【００２７】
図３（ａ）、（ｂ）及び図４（ａ）、（ｂ）に示すように、ノック１の押圧状態及び非押圧状態は、それぞれボタン５の非押圧状態又は押圧状態、更には、先端部の突出状態及び収納状態と対応関係にあり、その結果、ユーザーにおいては、先端部の突出段階及び収納段階とを明瞭に峻別することが可能となり、従来技術の場合のような双方を峻別し得ないという誤認混同によるアクシデントを免れることができる。
【００２８】
しかも、ノック１のストローク範囲は、図３（ａ）、（ｂ）及び図４（ａ）、（ｂ）からも明らかなように、バー４の先端とボタン５の前側面との距離によって左右され、結局、バー４の長さ及びボタン５の設置位置によって製造段階において簡単に選択することが可能となる。
【００２９】
このため、ストローク幅が変化しても、バー４の長さ及びボタン５の設置位置を選択すれば良く、他の構成要素につき、同一の設計及び同一の金型を採用することが可能となり、ノック１の前側に回転子が介在している従来技術の場合に比し、明らかに製造コストの低下を実現することができる。
【００３０】
図３（ａ）、（ｂ）及び図４（ａ）、（ｂ）に示す実施形態においては、バー４の後端及びその近傍を軸筒６の内壁に直接固着する構成を採用している。
但し、上記固着方式においては、軸筒６の内壁から突設した変形可能な突設片によるかしめ状態を採用する構成及び軸筒６の内壁との溶着状態を採用する形態が、通常採用されている。
【００３１】
上記各固着方式以外には、例えば、バー４の後端に設けた突起を軸筒６内に嵌入したうえで、バー４の後端及びその近傍をテープによって貼着する形態も採用可能である。
以下、実施例に従って説明する。
【実施例１】
【００３２】
実施例１は、図１に示すように、バー４の後端及びその近傍を円輪状パイプ４１に固着するか、又はバー４と円輪状パイプ４１とを一体成形したうえで、当該円輪状パイプ４１を軸筒６内の内壁と固着していることを特徴としている。
【００３３】
実施例１の場合には、円輪状パイプ４１を介することによって、バー４を軸筒６の内壁に堅固な状態にて固着することができる。
尚、円輪状パイプ４１を内壁に固着させる方式としては、前記のように、軸筒６の内壁から突設した変形可能な突設片によるかしめ状態を採用する場合、及び軸筒６の内壁との溶着状態を採用する場合が多い。
【実施例２】
【００３４】
実施例２は、図２に示すように、バー４の後端側に、当該バー４と一体成形による円輪バネ４２を設け、当該円輪バネ４２を軸筒６の内壁に固着していることを特徴としている。
【００３５】
実施例２の場合には、バー４と円輪バネ４２とを一体成形するというシンプルな製造上のメリットが存在すると共に、実施例１の場合と同様に、堅固な固着も実現することができる。
尚、軸筒６の内壁との間にて通常採用される固着の形態は、実施例１の場合と同様である。
【産業上の利用可能性】
【００３６】
本発明は、突出及び収納の峻別の点において、使用者にとって便利である一方、ストロークの選択及びコストの低下の点において、メーカーにとってもメリットを有しており、広範な利用を可能としている。
【符号の説明】
【００３７】
１  ノック
２  芯収納メカユニット又はレフィールホルダー
３  外側パイプ又は外側支柱
４  バー
４１  円輪状パイプ
４２  円輪バネ
５  ボタン
６  軸筒
７  孔
８  戻しバネ
９  チャック
１０  チャック用バネ
１１  レフィール
【図１】
0006629532.tif 000002
【図２】
0006629532.tif 000003
【図３】
0006629532.tif 000004
【図４】
0006629532.tif 000005
【図５】
0006629532.tif 000006